(57)【要約】【課題】光ディスク再生装置において、放熱特性を優れたものにする。【解決手段】光ディスク再生装置１は、ディスク室２１に収納された光ディスク１０を回転させて、光ディスク１０から記録データを読取る。ディスク室２１の外周側壁５２には、ディスク室２１内に空気を吸入するための吸気用開口６２ａ、６２ｂと、ディスク室２１内から空気を排出するための排気用開口６３が設けられている。吸気用開口６２ａの開口面は、その垂直方向が吸気用開口６２ａから光ディスク１０の中心に向かう方向よりも、光ディスク１０の回転方向の側に傾いており、吸気用開口６２ｂの開口面は、その垂直方向が吸気用開口６２ｂから光ディスク１０の中心に向かう方向よりも、光ディスク１０の回転方向の側に傾いている。排気用開口６３の開口面は、その垂直方向が排気用開口６３から光ディスク１０の中心に向かう方向よりも、光ディスク１０の回転方向と逆方向の側に傾いている。【選択図】図３
2012003799.tif 000002
【特許請求の範囲】
【請求項１】
ディスク室に収納された光ディスクを回転させて、前記光ディスクから記録データを読
取る光ディスク再生装置において、
前記ディスク室における前記光ディスクの外周面に対向する外周側壁には、前記ディス
ク室の外部から前記ディスク室の内部に空気を吸入するための吸気用開口と、前記ディス
ク室の内部から前記ディスク室の外部に空気を排出するための排気用開口とが設けられて
おり、
前記吸気用開口の開口面は、その垂直方向が該吸気用開口から前記光ディスクの中心に
向かう方向よりも、前記光ディスクの回転方向の側に傾いており、
前記排気用開口の開口面は、その垂直方向が該排気用開口から前記光ディスクの中心に
向かう方向よりも、前記光ディスクの回転方向と逆方向の側に傾いている、
ことを特徴とする光ディスク再生装置。
【請求項２】
前記外周側壁は、前記吸気用開口から前記光ディスクの回転方向の側に向かって続く吸
気補助用側壁と、前記光ディスクの回転方向の側に向かって前記排気用開口に続く排気補
助用側壁とを有し、
前記吸気補助用側壁は、前記吸気用開口から遠ざかるにつれて、前記光ディスクの外周
面に徐々に近づいてゆくように形成されており、
前記排気補助用側壁は、前記排気用開口に近づくにつれて、前記光ディスクの外周面か
ら徐々に遠ざかってゆくように形成されている、
ことを特徴とする請求項１に記載の光ディスク再生装置。
【発明の詳細な説明】
【技術分野】
【０００１】
本発明は、光ディスクから記録データを読取る光ディスク再生装置に関するものである
。
【背景技術】
【０００２】
従来から、光ディスク再生装置は、ディスク室に収納された光ディスクを回転させて、
光ディスクから記録データを読取るようになっている。このような光ディスク再生装置に
おいて、光ディスクの回転により発生する気流を利用して、本体ケースの外部と内部との
間で空気を流通させることにより、本体ケース内で発生した熱を本体ケース外に放熱する
ようにしたものが知られている（例えば特許文献１乃至特許文献３参照）。
【先行技術文献】
【特許文献】
【０００３】
【特許文献１】特開２００６−３２３９５５号公報
【特許文献２】特開２００１−１５５４７９号公報
【特許文献３】特開２００６−１０７６０２号公報
【発明の概要】
【発明が解決しようとする課題】
【０００４】
ところで、光ディスク再生装置では、本体ケース内の温度上昇を抑えることは、重要な
課題である。本体ケース内の温度上昇を抑えるには、本体ケース内の熱を本体ケース外に
放熱する放熱特性を優れたものにする必要がある。一方、ファンを用いて本体ケース内の
熱を本体ケース外に放熱することも考えられるが、このような構成では、ファンを配置す
るためのスペースが必要となるため、光ディスク再生装置が大型化してしまう。そこで、
光ディスクの回転により発生する気流を利用して本体ケース内の熱を本体ケース外に放熱
するようにした光ディスク再生装置において、放熱特性を優れたものにすることが要望さ
れている。
【０００５】
本発明は、上記課題を解決するためになされたものであり、放熱特性の優れた光ディス
ク再生装置を提供することを目的とする。
【課題を解決するための手段】
【０００６】
上記目的を達成するために請求項１の発明は、ディスク室に収納された光ディスクを回
転させて、光ディスクから記録データを読取る光ディスク再生装置において、ディスク室
における光ディスクの外周面に対向する外周側壁には、ディスク室の外部からディスク室
の内部に空気を吸入するための吸気用開口と、ディスク室の内部からディスク室の外部に
空気を排出するための排気用開口とが設けられており、吸気用開口の開口面は、その垂直
方向が該吸気用開口から光ディスクの中心に向かう方向よりも、光ディスクの回転方向の
側に傾いており、排気用開口の開口面は、その垂直方向が該排気用開口から光ディスクの
中心に向かう方向よりも、光ディスクの回転方向と逆方向の側に傾いているものである。
【０００７】
請求項２の発明は、請求項１に記載の光ディスク再生装置において、外周側壁は、吸気
用開口から光ディスクの回転方向の側に向かって続く吸気補助用側壁と、光ディスクの回
転方向の側に向かって排気用開口に続く排気補助用側壁とを有し、吸気補助用側壁は、吸
気用開口から遠ざかるにつれて、光ディスクの外周面に徐々に近づいてゆくように形成さ
れており、排気補助用側壁は、排気用開口に近づくにつれて、光ディスクの外周面から徐
々に遠ざかってゆくように形成されているものである。
【発明の効果】
【０００８】
請求項１及び請求項２の発明によれば、ディスク室の外部からディスク室の内部に効率
良く空気が吸入されると共に、ディスク室の内部からディスク室の外部に効率良く空気が
排出される。従って、本体ケース外の空気が本体ケース内を経由してディスク室に吸入さ
れるようにし、また、ディスク室から排出された空気が本体ケース内を経由して本体ケー
ス外に排出されるようにすることにより、効率良く、本体ケースの外部と内部との間で空
気を流通させることができ、放熱特性を優れたものにすることができる。これにより、本
体ケース内の熱のこもりを防ぐことができ、本体ケース内の温度上昇を抑えることができ
る。
【図面の簡単な説明】
【０００９】
【図１】（ａ）は本発明の一実施形態に係る光ディスク再生装置の概略構成を示すディスクカバーを閉じた状態の斜視図、（ｂ）は同ディスクカバーを開いた状態の斜視図。
【図２】（ａ）は同光ディスク再生装置の本体ユニットの斜視図、（ｂ）は同本体ユニットの上ケースを下ケースから分離した状態の斜視図。
【図３】（ａ）は同本体ユニットの一部破断した平面図、（ｂ）は同本体ユニットの断面図。
【発明を実施するための形態】
【００１０】
以下、本発明を具体化した実施形態による光ディスク再生装置について図面を参照して
説明する。図１（ａ）（ｂ）は、本実施形態による光ディスク再生装置の構成を示す。光
ディスク再生装置１は、例えばＤＶＤやＢＤ等の光ディスク１０から記録データを読取る
装置である。この光ディスク再生装置１は、携帯型のものである。
【００１１】
光ディスク再生装置１は、本体ユニット２と、表示ユニット３と、ヒンジユニット４と
を備えており、表示ユニット３がヒンジユニット４を介して本体ユニット２に取付けられ
、表示ユニット３が本体ユニット２に対して回動可能になっている。
【００１２】
本体ユニット２は、ディスク室２１に光ディスク１０が収納されるようになっており、
ディスク室２１に収納された光ディスク１０を回転させて、光ディスク１０から記録デー
タを読取る。ディスク室２１は、ディスクカバー２２を開くことにより、光ディスク１０
を収納、取出し可能なように開放され、ディスクカバー２２を閉じることにより、閉鎖さ
れる。表示ユニット３は、本体ユニット２により光ディスク１０から読取った記録データ
に基く画像や、メニュー画面等の各種画像を表示する。
【００１３】
ヒンジユニット４は、２軸スイーベルヒンジと呼ばれるヒンジユニットであり、表示ユ
ニット３を本体ユニット２に対して直交２軸に回動可能に連結している。すなわち、表示
ユニット３は、本体ユニット２に対して、表示ユニット３の下端部を通って表示ユニット
３の下端縁と平行な第１の回動中心軸Ｃ１の軸回りに回動可能になっていると共に、本体
ユニット２の後端部の中央を通って本体ユニット２の上面に垂直な第２の回動中心軸Ｃ２
の軸回りに回動可能になっている。
【００１４】
光ディスク再生装置１を使用するときには、表示ユニット３を開いた状態（表示ユニッ
ト３を本体ユニット２に起立させた状態）にされる。また、光ディスク再生装置１を携帯
して持ち運ぶときには、表示ユニット３を閉じた状態（表示ユニット３を本体ユニット２
に重なるように倒伏させた状態）にされる。
【００１５】
図２（ａ）（ｂ）、図３（ａ）（ｂ）は、本体ユニット２の構成を示す。本体ユニット
２は、本体ケース２０と、光ディスク１０が収納されるディスク室２１と、ディスク室２
１を開放、閉鎖するためのディスクカバー２２と、光ディスク１０から記録データを読取
る光ディスク読取ユニット２３とを有する。また、本体ユニット２は、光ディスク再生装
置１の動作を制御する回路基板２４と、本体ユニット２内（本体ケース２０内）で発生し
た熱を蓄えるための蓄熱体２５と、蓄熱体２５の蓄えた熱を放熱するための放熱体２６と
を有する。また、本体ユニット２は、熱を持った空気が光ディスク読取ユニット２３に流
れ込むのを防ぐための熱流遮蔽隔壁２７と、本体ユニット２から排出する空気の流路を形
成するダクト２８とを有する。
【００１６】
本体ケース２０は、光ディスク読取ユニット２３、回路基板２４、蓄熱体２５、放熱体
２６、熱流遮蔽隔壁２７、及びダクト２８を収納している。本体ケース２０は、本体ケー
ス２０の下側部分を占める下ケース３１と、本体ケース２０の上側部分を占める上ケース
３２とを有しており、下ケース３１と上ケース３２が相互に結合されている。
【００１７】
下ケース３１には、本体ケース２０の外部から本体ケース２０の内部に空気を吸入する
ための空気吸入口４１ａ、４１ｂと、本体ケース２０の内部から本体ケース２０の外部に
空気を排出するための空気排出口４２が設けられている。空気吸入口４１ａは、下ケース
３１の一方の側壁３１ａに設けられており、空気吸入口４１ｂは、下ケース３１のもう一
方の（側壁３１ａに対向する）側壁３１ｂに設けられている。空気排出口４２は、下ケー
ス３１の一方の側壁３１ａに設けられている。
【００１８】
ディスク室２１は、底壁５１と、外周側壁５２とを有している。ディスク室２１の底壁
５１及び外周側壁５２は、本体ケース２０の上ケース３２の一部によって構成されており
、底壁５１及び外周側壁５２によって、ディスク室２１の内部と本体ケース２０の内部と
が隔てられている。底壁５１は、平坦に形成されており、外周側壁５２は、底壁５１から
垂直に立ち上がっている。
【００１９】
底壁５１には、光ディスク１０からの記録データの読取りに用いる読取用開口６１が設
けられている。また、外周側壁５２には、ディスク室２１の外部（本体ケース２０の内部
）からディスク室２１の内部に空気を吸入するための吸気用開口６２ａ、６２ｂと、ディ
スク室２１の内部からディスク室２１の外部（本体ケース２０の内部）に空気を排出する
ための排気用開口６３とが設けられている。光ディスク１０は、底壁５１及び外周側壁５
２に囲まれた領域に収納される。
【００２０】
ディスクカバー２２は、開閉可能なように、本体ケース２０の上ケース３２に装着され
ている。ディスクカバー２２を開くことにより、光ディスク１０を収納、取出し可能なよ
うにディスク室２１が開放され、ディスクカバー２２を閉じることにより、ディスク室２
１が閉鎖される。
【００２１】
光ディスク読取ユニット２３は、光ディスク１０を回転させるためのスピンドルモータ
７１と、光ディスク１０に光を投光すると共に光ディスク１０からの反射光を受光する光
ヘッド７２と、これらスピンドルモータ７１及び光ヘッド７２を支持する支持体７３とを
有する。
【００２２】
スピンドルモータ７１は、光ディスク１０が装着されるディスク装着部７１ａを有して
いる。ディスク装着部７１ａは、支持体７３の上面から突出している。支持体７３には、
光ヘッド７２が光を投受光するための投受光用開口７３ａが設けられており、光ヘッド７
２は、投受光用開口７３ａに臨んでいる。
【００２３】
光ヘッド７２は、スピンドルモータ７１に接近、離反する方向に移動するようになって
おり、投受光用開口７３ａは、光ヘッド７２の移動する範囲に亘って設けられている。従
って、光ヘッド７２がスピンドルモータ７１から離れた位置にあるときには、スピンドル
モータ７１と光ヘッド７２との間に、投受光用開口７３ａから支持体７３の下方（光ディ
スク読取ユニット２３の下方）の空間に貫通する空間が形成される。
【００２４】
光ディスク読取ユニット２３は、ディスク室２１の底壁５１に隣接して配置されており
、スピンドルモータ７１のディスク装着部７１ａが、底壁５１の読取用開口６１からディ
スク室２１の内部に突出していると共に、光ヘッド７２及び投受光用開口７３ａが、底壁
５１の読取用開口６１に臨んでいる。
【００２５】
光ディスク１０は、記録面をディスク室２１の底壁５１側に向けて、スピンドルモータ
７１のディスク装着部７１ａに装着することにより、ディスク室２１に収納される。この
ようにディスク室２１に光ディスク１０が収納された状態では、ディスク室２１の底壁５
１は、光ディスク１０の記録面に対向し、ディスク室２１の外周側壁５２は、光ディスク
１０の外周面に対向する。光ディスク１０からの記録データの読取りは、ディスクカバー
２２を閉じた状態で行われる。
【００２６】
光ディスク読取ユニット２３は、スピンドルモータ７１により光ディスク１０を回転さ
せながら、光ヘッド７２により光ディスク１０に光を投光すると共に光ディスク１０から
の反射光を受光して、光ディスク１０から記録データを読取る。このとき、スピンドルモ
ータ７１は、光ディスク１０を、光ディスク１０の記録面と反対側の面から見て、時計回
りの方向（図３（ａ）中矢印Ｒｏの方向）に回転させ、光ヘッド７２は、支持体７３の投
受光用開口７３ａ及び底壁５１の読取用開口６１を通して、光ディスク１０に光を投光す
ると共に光ディスク１０からの反射光を受光する。
【００２７】
回路基板２４は、光ディスク読取ユニット２３の下方において、下ケース３１の下壁３
１ｃと平行に配置されている。光ディスク読取ユニット２３と回路基板２４との間には、
空気が流通可能なように、隙間が設けられている。回路基板２４には、電子部品２９が実
装されている。電子部品２９は、光ディスク読取ユニット２３のスピンドルモータ７１を
駆動するモータ駆動回路や、光ディスク再生装置１の動作を制御する制御回路等を構成す
るものである。
【００２８】
蓄熱体２５は、アルミニウム合金等の金属により平板状に形成されており、回路基板２
４と下ケース３１の下壁３１ｃとの間において、回路基板２４と平行（下ケース３１の下
壁３１ｃと平行）に配置されている。
【００２９】
放熱体２６は、蓄熱体２５の一部を折り曲げることにより形成されたものであり、蓄熱
体２５と繋がっている。放熱体２６は、回路基板２４と下ケース３１の前壁３１ｄとの間
であって、電子部品２９の横の位置に配置されている。
【００３０】
熱流遮蔽隔壁２７は、電子部品２９の発熱及び放熱体２６からの放熱によって熱を持っ
た空気が光ディスク読取ユニット２３に流れ込まないように、光ディスク読取ユニット２
３と電子部品２９との間に配置されている。熱流遮蔽隔壁２７は、回路基板２４に取付け
られている。熱流遮蔽隔壁２７は、回路基板２４との間に隙間を設けることなく、回路基
板２４に密着している。
【００３１】
ダクト２８は、内部が空洞になっており、ディスク室２１の排気用開口６３と本体ケー
ス２０の（下ケース３１の）空気排出口４２とを連通している。すなわち、ダクト２８は
、内部の空洞になっている空間によって、ディスク室２１の排気用開口６３から本体ケー
ス２０の空気排出口４２に至る空気の流路（本体ユニット２から排出する空気の流路）を
形成している。ダクト２８は、ディスク室２１の排気用開口６３から本体ケース２０の空
気排出口４２に至る空気の流路が、電子部品２９の上方を通過するように構成されている
。ダクト２８は、上ケース３２に取付けられている。
【００３２】
また、ダクト２８には、熱を持った空気をダクト２８の内部に取り込むための複数の空
気取込孔２８ａが設けられている。これらの複数の空気取込孔２８ａは、電子部品２９の
発熱及び放熱体２６からの放熱によって熱を持った空気をダクト２８の内部に取り込むよ
うに、電子部品２９の上方の箇所（電子部品２９に対向する箇所）であって、放熱体２６
の近傍の箇所に設けられている。
【００３３】
次に、上記ディスク室２１の外周側壁５２、吸気用開口６２ａ、６２ｂ、及び排気用開
口６３について説明する。外周側壁５２は、ディスク室２１に収納された（スピンドルモ
ータ７１のディスク装着部７１ａに装着された）光ディスク１０の外周面に対向する壁で
ある。外周側壁５２は、ディスク室２１の内部と本体ケース２０の内部とを隔てている。
吸気用開口６２ａ、６２ｂは、ディスク室２１の外部（本体ケース２０の内部）からディ
スク室２１の内部に空気を吸入するための開口である。排気用開口６３は、ディスク室２
１の内部からディスク室２１の外部（本体ケース２０の内部）に空気を排出するための開
口である。これら吸気用開口６２ａ、６２ｂ及び排気用開口６３は、外周側壁５２に設け
られており、ディスク室２１の内部と本体ケース２０の内部とを連通している。
【００３４】
吸気用開口６２ａの開口面は、その開口面の垂直方向（図中矢印Ｐａの方向）が吸気用
開口６２ａから光ディスク１０の中心に向かう方向（図中矢印Ｑａの方向）よりも、光デ
ィスク１０の回転方向（図中矢印Ｒａの方向）の側に傾いている。吸気用開口６２ｂの開
口面は、その開口面の垂直方向（図中矢印Ｐｂの方向）が吸気用開口６２ｂから光ディス
ク１０の中心に向かう方向（図中矢印Ｑｂの方向）よりも、光ディスク１０の回転方向（
図中矢印Ｒｂの方向）の側に傾いている。
【００３５】
また、排気用開口６３の開口面は、その開口面の垂直方向（図中矢印Ｐｃの方向）が排
気用開口６３から光ディスク１０の中心に向かう方向（図中矢印Ｑｃの方向）よりも、光
ディスク１０の回転方向（図中矢印Ｒｃの方向）と逆方向の側に傾いている。
【００３６】
外周側壁５２は、吸気用開口６２ａから光ディスク１０の回転方向の側に向かって続く
吸気補助用側壁８２ａと、吸気用開口６２ｂから光ディスク１０の回転方向の側に向かっ
て続く吸気補助用側壁８２ｂと、光ディスク１０の回転方向の側に向かって排気用開口６
３に続く排気補助用側壁８３とを有する。
【００３７】
吸気補助用側壁８２ａは、吸気用開口６２ａから遠ざかるにつれて、光ディスク１０の
外周面に徐々に近づいてゆくように形成されており、吸気補助用側壁８２ｂは、吸気用開
口６２ｂから遠ざかるにつれて、光ディスク１０の外周面に徐々に近づいてゆくように形
成されている。排気補助用側壁８３は、排気用開口６３に近づくにつれて、光ディスク１
０の外周面から徐々に遠ざかってゆくように形成されている。
【００３８】
このような構成の光ディスク再生装置１は、光ディスク読取ユニット２３により、ディ
スク室２１に収納された（スピンドルモータ７１のディスク装着部７１ａに装着された）
光ディスク１０を回転させて、光ディスク１０から記録データを読取る。
【００３９】
光ディスク１０が回転すると、光ディスク１０の回転により発生する気流により、吸気
用開口６２ａ、６２ｂを通して、ディスク室２１の外部（本体ケース２０の内部）からデ
ィスク室２１の内部に空気が吸入されると共に、排気用開口６３を通して、ディスク室２
１の内部からディスク室の外部（本体ケース２０の内部であって、ダクト２８の内部）に
空気が排出される。
【００４０】
このとき、外周側壁５２（吸気補助用側壁８２ａ、８２ｂ、排気補助用側壁８３）、吸
気用開口６２ａ、６２ｂ、及び排気用開口６３が上記のような構成になっていることによ
り、吸気用開口６２ａ、６２ｂを通して、ディスク室２１の外部からディスク室２１の内
部に効率良く空気が吸入されると共に、排気用開口６３を通して、ディスク室２１の内部
からディスク室４０の外部に効率良く空気が排出される。
【００４１】
これにより、本体ケース２０の空気吸入口４１ａ、４１ｂを通して、本体ケース２０の
外部から本体ケース２０の内部に効率良く空気が吸入されると共に、ダクト２８及び本体
ケース２０の空気排出口４２を通して、本体ケース２０の内部から本体ケース２０の外部
に効率良く空気が排出される。つまり、効率良く、本体ケース２０の外部の空気が、本体
ケース２０の空気吸入口４１ａ、４１ｂ、本体ケース２０の内部、及びディスク室２１の
吸気用開口６２ａ、６２ｂを経由してディスク室２１の内部に吸入されると共に、ディス
ク室２１の内部に吸入された空気が、ディスク室２１の排気用開口６３、ダクト２８、及
び本体ケース２０の空気排出口４２を経由して本体ケース２０の外部に排出される。従っ
て、効率良く、本体ケース２０の外部と内部との間で空気を流通させることができ、放熱
特性を優れたものにすることができる。
【００４２】
また、本体ケース２０の空気吸入口４１ａ、４１ｂから本体ケース２０の内部に吸入さ
れた空気の一部は、光ディスク読取ユニット２３と回路基板２４との間、光ディスク読取
ユニット２３におけるスピンドルモータ７１と光ヘッド７２との間、光ディスク読取ユニ
ット２３の投受光用開口７３ａ、及びディスク室２１の底壁５１の読取用開口６１を経由
してディスク室２１の内部に吸入される。そして、この経路でディスク室２１の内部に吸
入された空気は、同様に、ディスク室２１の排気用開口６３、ダクト２８、及び本体ケー
ス２０の空気排出口４２を経由して本体ケース２０の外部に排出される。従って、効率良
く、光ヘッド７２の発熱によって熱を持った空気を本体ケース２０の外部に排出すること
ができ、より一層、放熱特性を優れたものにすることができる。
【００４３】
また、本体ケース２０の空気吸入口４１ａ、４１ｂから本体ケース２０の内部に吸入さ
れた空気の別の一部は、放熱体２６及び電子部品２９の周辺、及びダクト２８の空気取込
孔２８ａを経由してダクト２８の内部に取込まれて、ダクト２８、及び本体ケース２０の
空気排出口４２を経由して本体ケース２０の外部に排出される。従って、効率良く、電子
部品２９の発熱及び放熱体２６からの放熱によって熱を持った空気を本体ケース２０の外
部に排出することができ、より一層、放熱特性を優れたものにすることができる。
【００４４】
また、電子部品２９の発熱及び放熱体２６からの放熱によって熱を持った空気は、熱流
遮蔽隔壁２７によって、光ディスク読取ユニット２３に流れ込まないように、その流れが
遮られる。従って、より一層、放熱特性を優れたものにすることができる。
【００４５】
このように、本発明の光ディスク再生装置１によれば、放熱特性を優れたものにするこ
とができる。これにより、本体ケース２０の内部の熱のこもりを防ぐことができ、本体ケ
ース２０の内部の温度上昇を抑えることができる。また、電子部品２９や光ヘッド７２な
どの温度上昇を抑えることができる。
【００４６】
なお、本発明は、上記実施形態の構成に限られず、種々の変形が可能である。例えば、
ディスク室の吸気用開口は、２つに限られず、１つであってもよく、ディスク室の排気用
開口は、１つに限られず、２つ以上であってもよい。また、本体ケースの空気吸入口は、
２つに限られず、１つであってもよく、本体ケースの空気排出口は、１つに限られず、２
つ以上であってもよい。
【符号の説明】
【００４７】
１    光ディスク再生装置
２    本体ユニット
３    表示ユニット
４    ヒンジユニット
１０    光ディスク
２０    本体ケース
２１    ディスク室
２２    ディスクカバー
２３    光ディスク読取ユニット
２４    回路基板
２５    蓄熱体
２６    放熱体
２７    熱流遮蔽隔壁
２８    ダクト
２８ａ    空気取込孔
２９    電子部品
３１    下ケース
３１ａ、３１ｂ    下ケースの側壁
３１ｃ    下ケースの下壁
３１ｄ    下ケースの前壁
３２    上ケース
４１ａ、４１ｂ    空気吸入口
４２    空気排出口
５１    ディスク室の底壁
５２    ディスク室の外周側壁
６１    読取用開口
６２ａ、６２ｂ    吸気用開口
６３    排気用開口
７１    スピンドルモータ
７１ａ    ディスク装着部
７２    光ヘッド
７３    支持体
７３ａ    投受光用開口
８２ａ、８２ｂ    吸気補助用側壁
８３    排気補助用側壁
【図１】
2012003799.tif 000003
【図２】
2012003799.tif 000004
【図３】
2012003799.tif 000005